(57)【要約】【課題】取り木した栽培植物の根腐れが生じ難く、植物の生長の阻害を抑制することができ、さらに、養生期間中の栽培材料が衛生的で且つ保水性に優れたものとなる取り木方法を提供する。【解決手段】人工土壌培地３６で栽培する植物５０を取り木によって採取する取り木方法であって、植物５０の表皮の一部を剥離して育成培地１１で被覆する養生工程を包含し、育成培地１１として人工土壌培地３６と同一又は同種の培地を使用する。養生工程において、植物５０の表皮の剥離部５２を包装材１０で緩く包囲し、剥離部５２と包装材１０との隙間３２に育成培地１１を充填する。【選択図】図３
2017147941.tif 000002
【特許請求の範囲】
【請求項１】
人工土壌培地で栽培する植物を取り木によって採取する取り木方法であって、
前記植物の表皮の一部を剥離して育成培地で被覆する養生工程を包含し、
前記育成培地として前記人工土壌培地と同一又は同種の培地を使用する取り木方法。
【請求項２】
前記養生工程において、前記植物の表皮の剥離部を包装材で緩く包囲し、前記剥離部と前記包装材との隙間に前記育成培地を充填する請求項１に記載の取り木方法。
【請求項３】
前記養生工程において、養生開始時における前記育成培地の保水量が１０〜５０ｃｃ／１００ｃｃに調整される請求項１又は２に記載の取り木方法。
【請求項４】
前記養生工程において、前記育成培地の厚みが０．２〜２０ｍｍに調整される請求項１〜３の何れか一項に記載の取り木方法。
【請求項５】
前記育成培地は、発根剤を含有する請求項１〜４の何れか一項に記載の取り木方法。
【請求項６】
前記育成培地は、繊維及び／又はフィラーと、バインダーとを含む人工土壌粒子を含有する請求項１〜５の何れか一項に記載の取り木方法。
【請求項７】
前記包装材は、取り木によって採取される前記植物の栽培容器を兼ねるものである請求項２〜６の何れか一項に記載の取り木方法。
【発明の詳細な説明】
【技術分野】
【０００１】
本発明は、人工土壌培地で栽培する植物を取り木によって採取する取り木方法に関する。
【背景技術】
【０００２】
取り木とは、植物の表皮を切り取った部分（以下、単に「剥離部」と称する。）から発根させ、これを採取することにより植物を増殖させる園芸手法である。取り木を実施するにあたっては、植物の剥離部を栽培材料で覆い、当該栽培材料を湿潤させて剥離部及び発根した根が乾燥しないようにする必要がある。また、植物が十分に発根し採取できるまでは、ある程度の時間がかかる。このため、取り木に使用される栽培材料には、吸水性が高く、さらに吸収した水分を長期間保持できる性能が求められる。
【０００３】
栽培材料として、これまでミズゴケやピートモスなどの保水性の高い天然素材が多く使用されている。例えば、特許文献１には、ミズゴケを加工成形したものが提案されている。
【先行技術文献】
【特許文献】
【０００４】
【特許文献１】特開平６−３２７３４８号公報
【発明の概要】
【発明が解決しようとする課題】
【０００５】
特許文献１の栽培材料は、ミズゴケを自然乾燥又は人工的に乾燥させたものに圧力をかけて板状に圧縮させたものである。特許文献１の栽培材料を用いて植物の剥離部を養生し、ミズゴケを使用しない培地に取り木で採取した植物を植え替えると、根腐れが生じ易くなり、植物が健全に生長できなくなるという問題がある。また、この栽培材料を使用するときは、剥離部に適した大きさに切断するか、又は一度細かく解したものを適切な大きさに成形し直す必要がある。さらに、ミズゴケを自然乾燥させたものを栽培材料として使用した場合、天然物であるミズゴケに付着した細菌やカビなどが毒素を排出することにより根の生長に影響を与えたり、ミズゴケ自体の腐敗により、衛生面の問題が生じることがある。一方、栽培材料としてミズゴケの代わりにピートモスを使用した場合は、ピートモスは一度乾燥すると撥水性が現われ、水滴が浸み込み難くなるため、栽培材料の保水性が低下する虞がある。このように、従来の栽培材料を用いて取り木を行った場合、根腐れ、衛生面、及び保水性などの点で改善の余地があった。
【０００６】
本発明は、上記問題点に鑑みてなされたものであり、取り木した栽培植物の根腐れが生じ難く、植物の健全な生長を促進し、さらに、養生期間中の栽培材料が衛生的で且つ保水性に優れた取り木方法を提供することを目的とする。
【課題を解決するための手段】
【０００７】
上記課題を解決するための本発明に係る取り木方法の特徴構成は、
人工土壌培地で栽培する植物を取り木によって採取する取り木方法であって、
前記植物の表皮の一部を剥離して育成培地で被覆する養生工程を包含し、
前記育成培地として前記人工土壌培地と同一又は同種の培地を使用することにある。
【０００８】
本構成の取り木方法は、人工土壌培地で栽培する植物を取り木によって採取するものであり、養生工程において植物に被覆する育成培地として、後の植物の栽培で用いる人工土壌培地と同一又は同種の培地を使用する。このため、養生中の植物から人工土壌培地に適した根が生える。取り木で採取した植物を、後の栽培で用いる人工土壌培地に植え替えても、根を取巻く環境は実質的に変化しないため、植物への負担が少ない。その結果、根腐れが抑制され、植物を健全に生長させることができる。また、育成培地として使用する人工土壌培地は、細菌やカビなどが繁殖し難く、衛生的であり、且つ適度な保水性を維持することが可能となる。
【０００９】
本発明に係る取り木方法において、
前記養生工程において、前記植物の表皮の剥離部を包装材で緩く包囲し、前記剥離部と前記包装材との隙間に前記育成培地を充填することが好ましい。
【００１０】
本構成の取り木方法によれば、植物の表皮の剥離部が包装材で緩く包囲されているため、剥離部と包装材との隙間に適量の育成培地を充填することができる。これにより、植物の表皮の剥離部からの発根を促進することができる。
【００１１】
本発明に係る取り木方法において、
前記養生工程において、養生開始時における前記育成培地の保水量が１０〜５０ｃｃ／１００ｃｃに調整されることが好ましい。
【００１２】
本構成の取り木方法によれば、養生開始時における育成培地の保水量が適切な範囲に調整されるため、養生期間中の植物に適量の水分を持続的に供給することができる。その結果、植物の表皮の剥離部からの発根を促進することができる。
【００１３】
本発明に係る取り木方法において、
前記養生工程において、前記育成培地の厚みが０．２〜２０ｍｍに調整されることが好ましい。
【００１４】
本構成の取り木方法によれば、育成培地の厚みが適切な範囲に調整されるため、植物の表皮の剥離部からの発根を確実なものとしながら、取り木を行う植物への重量負担が過度にならず、植物の枝折れ等を防止することができる。また、養生箇所が嵩張らないため、養生期間中の植物の取り扱いが容易なものとなる。
【００１５】
本発明に係る取り木方法において、
前記育成培地は、発根剤を含有することが好ましい。
【００１６】
本構成の取り木方法によれば、育成培地が発根剤を含有するため、植物の表皮の剥離部からの発根をさらに促進することができる。また、養生期間中に後から発根剤を育成培地に添加する必要がないため、養生期間中の植物の取り扱いが容易なものとなる。
【００１７】
本発明に係る取り木方法において、
前記育成培地は、繊維及び／又はフィラーと、バインダーとを含む人工土壌粒子を含有することが好ましい。
【００１８】
本構成の取り木方法によれば、育成培地として、繊維及び／又はフィラーと、バインダーとを含む人工土壌粒子を使用することで、軽量且つ機能的な培地となり、様々な植物の取り木に利用することができる。
【００１９】
本発明に係る取り木方法において、
前記包装材は、取り木によって採取される前記植物の栽培容器を兼ねるものであることが好ましい。
【００２０】
本構成の取り木方法によれば、包装材をそのまま植物を栽培する容器として使用できるため、栽培用の植物を取り木で採取した後に、新たに栽培容器を用意して植物を植え替えたり、栽培材料を廃棄する手間などを省くことができる。
【図面の簡単な説明】
【００２１】
【図１】図１は、本発明に係る取り木方法が実施される養生期間中の植物の模式図である。
【図２】図２は、本発明に係る取り木方法において使用される人工土壌培地を構成する人工土壌粒子の模式図である。
【図３】図３は、本発明に係る取り木方法の手順の説明図である。
【図４】図４は、別実施形態に係る取り木方法の説明図である。
【発明を実施するための形態】
【００２２】
以下、本発明に係る取り木方法に関する実施形態について、図面を参照して説明する。ただし、本発明は、以下に説明する実施形態や図面に記載される構成に限定されることを意図しない。なお、本発明の理解を容易にするため、初めに、取り木方法に使用する育成培地について説明する。
【００２３】
＜育成培地＞
図１は、本発明に係る取り木方法が実施される養生期間中の植物の模式図である。図１においては、破線円Ａで囲ってある領域の拡大断面図がさらに示されている。本実施形態に係る取り木方法においては、図１に示すように、成体となった植物５０の枝５１の表皮の一部が剥離されることにより剥離部５２が形成される。剥離部５２は、植物５０の表皮を枝の周方向に沿って環状に形成されてもよいし、枝の周方向における一部に形成されてもよい。剥離部５２は、包装材１０で緩く包囲される。包装材１０で包囲される範囲は、剥離部５２の全体であることが好ましい。剥離部５２の全体を包囲するために、包装材１０としては、剥離部５２より十分に巾の広いシート状又は筒状のものを使用する。なお、図１では、包装材１０は、説明の便宜上、透明な部材として示されているが、不透明な部材であってもよい。包装材１０は、剥離部５２が乾燥しないように、ある程度の気密性を有することが好ましい。また、包装材１０は、伸縮性や可撓性を有するものであってもよい。養生後に取り木した植物を別の容器に移し替える場合は、包装材１０がはさみ等により容易に切断できるものであることが好ましい。そのような包装材１０の素材として、例えば、樹脂フィルム、ゴム膜、金属箔などが挙げられる。また、不織布、織物等の繊維素材に樹脂等をコーティングして気密性を向上させたものを包装材１０として使用することも可能である。
【００２４】
図１中の拡大断面図に示すように、剥離部５２と包装材１０との隙間には、育成培地１１が充填される。これにより、育成培地１１は、剥離部５２を被覆した状態で養生に供される。剥離部５２から発根した根５３は、育成培地１１に適応しながら生長する。ここで、本発明者らは、特に、取り木方法に適した育成培地１１の条件について、鋭意研究を行ったところ、育成培地１１として、取り木によって採取した植物を後に栽培する人工土壌培地と同一又は同種の培地を使用した場合、取り木によって採取した植物の根腐れが抑制され、植物を健全に生長させることができることを見出した。これは、取り木方法の養生工程において、育成培地１１に適した根５３が発根し、取り木で採取した植物を引き続き栽培に用いる人工土壌培地に植え替えても、根５３を取巻く環境が実質的に変化せず、植物への負担が少ないためと考えられる。また、育成培地として人工土壌培地を使用すると、細菌やカビなどが繁殖し難く、衛生的であり、且つ適度な保水性を維持することが可能となる。
【００２５】
育成培地１１は、発根剤を含有することが好ましい。これにより、植物５０の表皮の剥離部５２からの発根をさらに促進することができる。また、養生期間中に後から発根剤を育成培地１１に添加する必要もないため、養生期間中の植物５０の取り扱いが容易なものとなる。発根剤としては、例えば、インドール酪酸等の植物ホルモンを有効成分として含有する液剤などが挙げられる。発根剤は、育成培地１１に対する有効成分の量が０．０１〜０．０５ｇ／ｃｃ、好ましくは０．０２〜０．０３ｇ／ｃｃに調整される。発根剤の有効成分の含有量を上記の適切な範囲に調整すると、剥離部５２からの発根を確実なものとすることができる。発根剤の有効成分の含有量が０．０１ｇ／ｃｃ未満であると、植物５０へ供給される発根剤が不足し、根５３の生長が不十分となる虞がある。一方、発根剤の有効成分の含有量が０．０５ｇ／ｃｃを超えても、効果は大きく増大せず、経済的ではない。
【００２６】
＜人工土壌粒子＞
図２は、本発明に係る取り木方法において使用される人工土壌培地を構成する人工土壌粒子の模式図である。図２においては、破線円Ｂで囲ってある領域の拡大図がさらに示されている。図２に示すように、人工土壌粒子２０は、繊維２１と、フィラー２２と、バインダー２３とを含む。繊維２１及びフィラー２２は、バインダー２３により結合されている。繊維２１、フィラー２２、及びバインダー２３の間には空隙２４が存在し、当該空隙２４に水分を吸収、保持することができる。なお、図２の人工土壌粒子２０は、繊維２１及びフィラー２２の両方を含むものを例示しているが、繊維２１又はフィラー２２のいずれか一方のみを含むものであってもよい。育成培地１１として、繊維２１及び／又はフィラー２２と、バインダー２３とを含む人工土壌粒子２０を使用することで、軽量且つ機能的な培地となり、様々な植物の取り木に利用することができる。
【００２７】
繊維２１は、人工土壌粒子２０内の空隙２４に十分な水分を保持できるよう、有機繊維を使用することが好ましい。有機繊維は比較的柔軟であるため、人工土壌粒子２０を構成する繊維２１どうしが複雑に絡み合って多数の空隙２４を形成することができる。これにより、人工土壌粒子２０の保水性が高まり、人工土壌粒子２０に吸収された水分を育成培地１１中の根５３が容易に利用可能な水、いわゆる易効水として保持することができる。その結果、根５３の成長を促すことができる。有機繊維としては、天然由来繊維、再生繊維、半合成繊維、及び合成繊維のいずれも使用可能である。繊維２１は、親水性又は非親水性のいずれでもよいが、人工土壌粒子２０が一定以上の保水性を維持できるように、親水性繊維を使用することが好ましい。好ましい親水性繊維は、天然由来繊維ではセルロース、綿、羊毛等が挙げられ、再生繊維ではレーヨン等が挙げられ、半合成繊維ではアセテート等が挙げられ、合成繊維ではビニロン、ウレタン、ナイロン等が挙げられる。繊維２１は、複数種の繊維を混繊したものでも構わない。
【００２８】
フィラー２２は、親水性又は非親水性のいずれでもよいが、人工土壌粒子２０が一定以上の保水性を維持できるように、親水性のものを使用することが好ましい。フィラー２２としては、無機フィラーが好適に使用され、多孔質鉱物、無機発泡体、無機多孔質骨材等の無機多孔質体が好ましい。多孔質鉱物としては、珪藻土、パーライト、バーミキュライト、パミス等が挙げられる。無機発泡体としては、ガラス発泡体、頁岩発泡体、シラスバルーン等が挙げられる。無機多孔質骨材としては、発泡コンクリート、発泡レンガ等が挙げられる。人工土壌粒子２０の保肥性を高めたい場合は、フィラー２２としてイオン交換能を有する鉱物が使用される。イオン交換能を有する鉱物としては、陽イオン交換性鉱物（例えば、モンモリロナイト、ベントナイト、バイデライト、ヘクトライト、サポナイト、スチブンサイト等のスメクタイト系鉱物、雲母系鉱物、バーミキュライト、ゼオライトなど）、陰イオン交換性鉱物（例えば、ハイドロタルサイト、マナセアイト、パイロオーライト、シェーグレン石、緑青等の主骨格として複水酸化物を有する天然層状複水酸化物、合成ハイドロタルサイト及びハイドロタルサイト様物質、アロフェン、イモゴライト、カオリン等の粘土鉱物など）が挙げられる。フィラー２２は、二種以上を混合したものでも構わない。例えば、フィラー２２として珪藻土とゼオライトとを選択し、両者を適切な配合比で混合したものを使用すれば、比較的安価でありながら、保水性及び保肥性の両方を兼ね備えた人工土壌粒子２０を設計することができる。
【００２９】
バインダー２３としては、有機バインダー又は無機バインダーの何れも使用可能である。有機バインダーは、例えば、ポリオレフィン系バインダー、ポリビニルアルコール系バインダー、ポリウレタン系バインダー、ポリ酢酸ビニル系バインダー等の合成樹脂系バインダー、デンプン、カラギーナン、キサンタンガム、ジェランガム、アルギン酸などの多糖類、膠などの動物性たんぱく質等の天然物系バインダーが挙げられる。無機バインダーは、例えば、水ガラス等のケイ酸系バインダー、リン酸アルミニウム等のリン酸塩系バインダー、ホウ酸アルミニウム等のホウ酸塩系バインダー、セメント等の水硬性バインダーが挙げられる。有機バインダー及び無機バインダーは、二種以上を組み合わせて使用することも可能である。バインダー２３の特性は、親水性又は非親水性のいずれでもよいが、上述のとおり繊維２１として親水性繊維を使用することが好ましいため、バインダー２３が繊維２１に過剰に浸み込んで繊維２１の吸収力を低下させないように、非親水性の樹脂バインダーが好適に使用される。非親水性の樹脂バインダーとしては、例えば、ポリオレフィン系樹脂バインダーが挙げられる。ポリオレフィン系樹脂バインダーは、ポリオレフィン系樹脂粉末が熱処理により溶融し、その後冷却されて硬化したものである。ポリオレフィン系樹脂粉末としては、ポリエチレン樹脂（ＰＥ）、低密度ポリエチレン樹脂（ＬＤＰＥ）等のポリオレフィン樹脂からなる樹脂粉末が挙げられる。ポリオレフィン樹脂からなる樹脂粉末は、強度に優れているため、人工土壌粒子２０の用途には好適である。
【００３０】
＜取り木方法＞
図３は、本発明に係る取り木方法の手順の説明図である。取り木方法は、植物５０の枝５１の一部を剥離して剥離部５２を形成し、当該剥離部５２を育成培地１１で被覆して養生し、剥離部５２から植物の根を発根させるものである。
【００３１】
養生工程において、初めに、図３（ａ）に示すように、植物５０の枝５１の一部を剥離する。これにより、剥離部５２が形成される。剥離部５２には、必要に応じて発根剤が吹き付けられる。次いで、図３（ｂ）に示すように、剥離部５２を包装材１０で緩く包囲する。このとき、包装材１０の一方を固定部材３１で植物５０の枝５１に固定する。剥離部５２が形成されている枝が上下方向に延びているときは、包装材１０の下方側に固定部材３１が締結される。これにより、剥離部５２と包装材１０との隙間３２が形成される。次いで、図３（ｃ）に示すように、隙間３２に人工土壌粒子２０を充填する。隙間３２に適量の人工土壌粒子２０が充填されると、剥離部５２の周囲を覆うように育成培地１１が形成され、剥離部５２からの発根を促進することができる。
【００３２】
育成培地１１の厚みは、０．２〜２０ｍｍ、好ましくは０．２〜１５ｍｍに調整される。ここで、育成培地１１の厚みとは、実質的に、剥離部５２の表面から包装材１０までの距離に相当する。育成培地１１の厚みを上記の適切な範囲に調整すると、剥離部５２からの発根を確実なものとしながら、取り木を行う植物５０への重量負担が過度にならず、植物５０の枝折れ等を防止することができる。また、養生箇所が嵩張らないため、養生期間中の植物５０の取り扱いが容易なものとなる。育成培地１１の厚みが０．２ｍｍ未満であると、育成培地１１の水分が不足し、根５３の生長が不十分となる虞がある。一方、育成培地１１の厚みが２０ｍｍを超えると、養生箇所が嵩張り、且つ植物５０への重量負担が過度になり、枝折れ等が生じる虞がある。
【００３３】
育成培地１１の保水量は、養生工程の開始時において、１０〜５０ｃｃ／１００ｃｃ、好ましくは２０〜４０ｃｃ／１００ｃｃに調整される。育成培地１１の保水量を上記の適切な範囲に調整すると、養生期間中の剥離部５２から発根した根５３に適量の水分を持続的に供給することができる。その結果、剥離部５２からの発根を促進することができる。養生開始時における育成培地１１の保水量が１０ｃｃ／１００ｃｃ未満であると、植物５０に十分に水分を供給することができず、剥離部５２が乾燥し、十分に発根を促せない虞がある。一方、養生開始時における育成培地１１の保水量が５０ｃｃ／１００ｃｃを超えると、育成培地１１の通気性が低下し、剥離部５２から発根した根５３に酸素を十分に供給することができず、根腐れが生じる虞がある。保水量の調整は、剥離部５２と包装材１０との隙間３２に育成培地１１を充填する前又は後のいずれのタイミングでもよい。
【００３４】
図３（ｄ）に示すように、剥離部５２と包装材１０との隙間３２に適量の人工土壌粒子２０を充填して育成培地１１を形成した後、包装材１０の開封している側を固定部材３１で締結する。これにより、剥離部５２と包装材１０との隙間３２が封止されて剥離部５２が育成培地１１で被覆された状態となり、栽培する植物に応じて剥離部５２が所定期間養生される。このとき、必要に応じて、包装材１０の上からアルミ箔などの遮光性の素材でさらに被覆することも可能である。なお、剥離部５２を育成培地１１で被覆するに際し、剥離部５２を包装材１０で緩く包囲し、剥離部５２と包装材１０との隙間に育成培地１１を充填したが、包装材を使用せずに、育成培地のみで、剥離部を被覆することも可能である。この場合、育成培地の形状が崩れず、且つ剥離部に巻き付け易いように、育成培地にバインダーを加えてシート状や筒状に成形することが好ましい。
【００３５】
所定の養生期間が経過し、剥離部５２から植物の根が十分に発根すると、植物５０の幹に近い固定部材３１の下方側、すなわち図３（ｄ）の点線Ｃで示される位置で、植物５０の枝５１を切断する。次いで、図３（ｅ）に示すように、切断された植物５０の枝５１を、別に用意した栽培用の容器３５に入れる。そして、枝５１から固定部材３１、及び包装材１０を取り除き、図３（ｆ）に示すように、容器３５内に栽培用の人工土壌培地３６を追加充填する。人工土壌培地３６は、養生期間で使用した育成培地１１と同一又は同種のものを使用する。なお、養生期間で使用した育成培地１１をすべて取り除き、新たな人工土壌培地３６に交換してもよい。本発明の取り木方法によれば、切断された植物５０の枝５１が容器３５に鉢上げされても、剥離部５２から発根した根５３を取巻く環境は実質的に変化しないため、根５３への負担が少ない。その結果、根腐れが抑制され、植物５０の枝５１を健全に生長させることができる。
【００３６】
＜別実施形態＞
図４は、別実施形態に係る取り木方法の説明図である。上記実施形態では、切断された植物５０の枝５１から包装材１０を取り除いて、別に用意した容器３５に植え替えるものについて説明したが、包装材が取り木によって採取される植物の栽培容器を兼ねるものであってもよい。例えば、図４に示すような筒状の包装材４１が挙げられる。包装材４１は、後述の底部材４６が装着されることにより植木鉢の形状となる。図４（ａ）に示すように、包装材４１は植木鉢の側面を構成するものである。包装材４１は、プラスチックや陶器、樹脂など植木鉢に利用可能な素材で形成することができる。包装材４１の上部（Ｐ１）及び下部（Ｐ２）には、可撓性のシート４２が設けられている。剥離部５２の周囲を囲むように包装材４１に枝５１を挿入し、シート４２で枝５１を包囲した後、固定部材４４でシート４２を枝５１に締結する。次いで、剥離部５２と包装材４１との隙間に人工土壌粒子２０を充填し、育成培地１１を形成する。育成培地１１に、必要に応じて水や発根剤を追加した後、図４（ｂ）に示すように、育成培地１１をシート４２で覆い、固定部材４４で締結して育成培地１１を封鎖する。この状態で枝５１の養生を所定期間行い、剥離部５２から植物の根が十分に発根すると、植物５０の幹に近い固定部材４４の下方側、すなわち図４（ｂ）の点線Ｄで示される位置で、植物５０の枝５１を切断する。次いで、図４（ｃ）に示すように、切断された植物５０の枝５１から上側の固定部材４４、及びシート４２を取り除き、底部材４６を包装材４１の下方に配置する。底部材４６には、追加する人工土壌粒子２０を載置しておくことも可能である。次いで、切断された植物５０の枝５１から下側の固定部材４４取り除き、包装材４１の下方を底部材４６に緩く嵌め込む。この状態でシート４２を包装材４１及び底部材４６の隙間から引き抜いて取り除く。最後に、図４（ｄ）に示すように、包装材４１の下方を底部材４６にさらに嵌め込み両部材を固定する。必要に応じて、枝５１を上方に移動したり、さらに追加の人工土壌粒子２０を充填してもよい。本別実施形態では、包装材４１をそのまま植物を栽培する容器として使用できるため、栽培用の植物を取り木で採取した後に、新たに栽培容器を用意して植物を植え替えたり、栽培材料を廃棄する手間などを省くことができる。
【産業上の利用可能性】
【００３７】
本発明の取り木方法は、観賞用や園芸用で行われる植物の増殖に利用可能であるが、その他の用途として、植物工場用、緑地化用等にも利用可能である。
【符号の説明】
【００３８】
１０      包装材
１１      育成培地
３２      隙間
３６      人工土壌培地
５０      植物
５２      剥離部
【図１】
2017147941.tif 000003
【図２】
2017147941.tif 000004
【図３】
2017147941.tif 000005
【図４】
2017147941.tif 000006